(57)【要約】【課題】カメラ付き筐体折畳み形電子機器の簡便な操作によって、名刺等の被写体を、画像のひずみや輝度の補正を行うことなく適切かつ再現性よく撮影する。【解決手段】カメラ付き筐体折畳み形携帯電話機の上筐体１と下筐体２の開閉角度をヒンジ部３に設けられた開閉角度マーキング７に合わせ、かつ、上筐体１に回動自在に取り付けられたカメラ５の方向を上筐体１に設けられたカメラ方向マーキング８に合わせることにより、カメラ５を適切な焦点距離及び画角をもって下筐体２の上面に置かれた名刺サイズの原稿に正対させる。また、表示部４に輝度のグラデーションを与えた画像を表示して照明として用いる。【選択図】  図１
2005045317.tif 000002
【特許請求の範囲】
【請求項１】
第１の筐体及び第２の筐体がヒンジ部を介して折畳み可能に連結され、前記第１の筐体及び前記第２の筐体を明示された所定の角度をなして開くことができるように構成された本体と、
前記第１の筐体及び前記第２の筐体を前記所定の角度をなして開いた時に、前記第２の筐体の所定の面に正対させることができるように、前記第１の筐体に回動自在に取り付けられたカメラと、
前記第１の筐体に取り付けられ、前記第１の筐体及び前記第２の筐体を前記所定の角度をなして開いた時に、前記第２の筐体の所定の面を略一様な明るさで照明する手段とを
備えたことを特徴とするカメラ付き筐体折畳み形電子機器。
【請求項２】
第１の筐体及び第２の筐体がヒンジ部を介して折畳み可能に連結され、前記第１の筐体及び前記第２の筐体を明示された所定の角度をなして開くことができるように構成された本体と、
前記第１の筐体及び前記第２の筐体を前記所定の角度をなして開いた時に、前記第２の筐体の所定の面を撮影範囲に含むように、前記第１の筐体に取り付けられたカメラと、
前記第１の筐体及び前記第２の筐体を前記所定の角度をなして開いた時に、前記カメラにより撮影された画像のひずみを補正する手段と、
前記第１の筐体に取り付けられ、前記第１の筐体及び前記第２の筐体を前記所定の角度をなして開いた時に、前記第２の筐体の所定の面を略一様な明るさで照明する手段とを
備えたことを特徴とするカメラ付き筐体折畳み形電子機器。
【請求項３】
第１の筐体及び第２の筐体がヒンジ部を介して折畳み可能に連結され、前記第１の筐体及び前記第２の筐体を明示された所定の角度をなして開くことができるように構成された本体と、
前記第１の筐体及び前記第２の筐体を前記所定の角度をなして開いた時に、前記第２の筐体の所定の面に正対させることができるように、前記第１の筐体に回動自在に取り付けられたカメラと、
前記第１の筐体に取り付けられ、前記第１の筐体及び前記第２の筐体を前記所定の角度をなして開いた時に、前記第２の筐体の所定の面を照明する手段と、
前記第１の筐体及び前記第２の筐体を前記所定の角度をなして開いた時に、前記カメラにより撮影された画像の輝度を補正する手段とを
備えたことを特徴とするカメラ付き筐体折畳み形電子機器。
【請求項４】
第１の筐体及び第２の筐体がヒンジ部を介して折畳み可能に連結され、前記第１の筐体及び前記第２の筐体を明示された所定の角度をなして開くことができるように構成された本体と、
前記第１の筐体及び前記第２の筐体を前記所定の角度をなして開いた時に、前記第２の筐体の所定の面を撮影範囲に含むように、前記第１の筐体に取り付けられたカメラと、
前記第１の筐体及び前記第２の筐体を前記所定の角度をなして開いた時に、前記カメラにより撮影された画像のひずみを補正する手段と、
前記第１の筐体に取り付けられ、前記第１の筐体及び前記第２の筐体を前記所定の角度をなして開いた時に、前記第２の筐体の所定の面を照明する手段と、
前記第１の筐体及び前記第２の筐体を前記所定の角度をなして開いた時に、前記カメラにより撮影された画像の輝度を補正する手段とを
備えたことを特徴とするカメラ付き筐体折畳み形電子機器。
【請求項５】
前記所定の角度は、前記ヒンジ部に設けられたマーキング又は開閉操作時のクリック感によって明示されたことを特徴とする請求項１乃至請求項４のいずれか１項に記載のカメラ付き筐体折畳み形電子機器。
【請求項６】
前記第１の筐体及び前記第２の筐体を開いた時になす角度を検出する手段をさらに備え、かつ、前記検出された角度と前記所定の角度との差がある値を上回る時に、その旨を表示し又は前記カメラによる撮影を禁止する手段をさらに備えたことを特徴とする請求項１乃至請求項４のいずれか１項に記載のカメラ付き筐体折畳み形電子機器。
【請求項７】
前記第１の筐体及び前記第２の筐体を前記所定の角度をなして開いた時に、前記第２の筐体の所定の面に正対する前記カメラの方向は、前記第１の筐体に設けられたマーキング又は回動操作時のクリック感によって明示されたことを特徴とする請求項１又は請求項３に記載のカメラ付き筐体折畳み形電子機器。
【請求項８】
前記カメラの方向と前記第２の筐体の所定の面に正対する方向とのなす角度を検出する手段をさらに備え、かつ、前記検出された角度がある値を上回る時に、その旨を表示し又は前記カメラによる撮影を禁止する手段をさらに備えたことを特徴とする請求項１又は請求項３に記載のカメラ付き筐体折畳み形電子機器。
【請求項９】
前記カメラは焦点距離を切換えて設定することができ、前記検出された角度と前記所定の角度との差がある値以下である時に、前記カメラを所定の焦点距離に設定する手段をさらに備えたことを特徴とする請求項６又は請求項８に記載のカメラ付き筐体折畳み形電子機器。
【請求項１０】
前記カメラは焦点距離を切換えて設定することができ、前記検出された角度と前記所定の角度との差がある値以下であって、かつ、前記カメラが所定の焦点距離に設定されていない時に、その旨を表示し又は前記カメラによる撮影を禁止する手段をさらに備えたことを特徴とする請求項６又は請求項８に記載のカメラ付き筐体折畳み形電子機器。
【請求項１１】
前記照明する手段は、前記第１の筐体に設けられ、ヒンジ部から遠い部分ほど明るくなるように輝度のグラデーションを与えた画像を表示することのできる表示部であることを特徴とする請求項１又は請求項２に記載のカメラ付き筐体折畳み形電子機器。
【請求項１２】
前記照明する手段は、前記第１の筐体に設けられた発光素子又は一様な輝度の画像を表示することのできる表示部であることを特徴とする請求項３又は請求項４に記載のカメラ付き筐体折畳み形電子機器。
【発明の詳細な説明】
【０００１】
【発明の属する技術分野】
本発明はカメラ付き筐体折畳み形電子機器に係り、特に、名刺やメモ等を撮影して画像情報として取り込むことのできるカメラ付き筐体折畳み形電子機器に関する。
【０００２】
【従来の技術】
携帯電話機、ＰＤＡ、パソコン等の電子機器にカメラを備え、簡便に写真を撮影して画像情報を取り込み、通信やプリント等の用に供することが一般化している。カメラ撮影の対象は、風景、スナップ、顔写真等さまざまであるが、ビジネス用途では名刺、書類、メモ等を撮影し、画像データとして又は文書データに変換して利用することが考えられる。
【０００３】
このような用途を目的として、カメラ付き携帯電話機によって名刺等を撮影し、文字データに変換するという発明がなされている（例えば、特許文献１参照。）。この特許文献１に開示された発明は、携帯電話機本体に付属しＯＣＲ機能を内蔵する画像取込み部によって、撮影された名刺等の画像情報を文字又は記号データに変換し、インターネット接続を含む利用に供するというものである。
【０００４】
【特許文献１】
特開２００２−２５２６９１号公報（第２ページ、図１）
【０００５】
【発明が解決しようとする課題】
カメラ撮影を適切に行うためには、カメラのレンズと被写体との距離、画角、照明等を調整する必要があるが、例えばカメラ付き携帯電話機を手に持って名刺を撮影する場合、これらの条件を常に一定に保つことは難しい。上記の特許文献１に開示された発明においては、画像取込み部が携帯電話機本体に固定されたものや、ペンシル状の画像取込み部を接続コードを介して携帯電話機に接続したものが示されているが、これらのいずれの形態によっても、カメラ撮影を適切に行うためには操作上十分注意する必要がある。
【０００６】
そこで、本発明は、カメラ付き電子機器の簡便な操作により、常に一定の条件で名刺、メモ、その他の被写体のカメラ撮影が適切に行えるようにしたカメラ付き筐体折畳み形電子機器を提供することを目的とする。
【０００７】
【課題を解決するための手段】
上記の課題を解決するために、本発明のカメラ付き筐体折畳み形電子機器は、第１の筐体及び第２の筐体がヒンジ部を介して折畳み可能に連結され、前記第１の筐体及び前記第２の筐体を明示された所定の角度をなして開くことができるように構成された本体と、前記第１の筐体及び前記第２の筐体を前記所定の角度をなして開いた時に、前記第２の筐体の所定の面に正対させることができるように、前記第１の筐体に回動自在に取り付けられたカメラと、前記第１の筐体に取り付けられ、前記第１の筐体及び前記第２の筐体を前記所定の角度をなして開いた時に、前記第２の筐体の所定の面を略一様な明るさで照明する手段とを備えたことを特徴とする。
【０００８】
本発明によれば、折畳み形電子機器の構造を有効に活用して、簡便な操作のみで常に一定の条件で名刺、メモ、その他の被写体の撮影を行うことができる。
【０００９】
【発明の実施の形態】
（第１の実施の形態）
以下に、本発明を折畳み形携帯電話機に適用した第１の実施の形態を、図１及び図２を参照して説明する。図１（ａ）及び（ｂ）は、それぞれ本発明の第１の実施の形態に係る折畳み形携帯電話機の外観を示す斜視図及び側面図である。
【００１０】
これらの図中、１は上筐体、２は下筐体、３はヒンジ部である。上筐体１には表示部４が設けられると共に、上辺に平行な軸のまわりにカメラ５が回動自在に取り付けられ、かつ、カメラ５の近傍にカメラ方向マーキング８が設けられている。また、下筐体２には操作部６が、ヒンジ部３には開閉角度マーキング７が、それぞれ設けられている。
【００１１】
図２は、本発明の第１の実施の形態に係る折畳み形携帯電話機のブロック図である。図中、表示部４、カメラ５及び操作部６は図１に外観を示したものと共通である。また、９はアンテナ、１０は送受切換え部、１１は無線部、１２はベースバンド部、１３は音声／電気変換部、１４は受話器、１５は送話器である。さらに、１６は各部の動作の制御監視を行う制御部、１７はメモリであり、以上の構成は携帯電話機一般に共通のものである。
【００１２】
次に、これらの図を参照して、本発明の第１の実施の形態に係る折畳み形携帯電話機の動作を、名刺サイズの原稿を撮影する場合を例にとって説明する。この折畳み形携帯電話機は、未使用時には上筐体１と下筐体２とが閉じられた状態にある。そして、名刺サイズの原稿を撮影する場合は上筐体１が開かれて、下筐体２の操作部６の上に名刺サイズの原稿が置かれる。さらに、図１（ａ）に示すように上筐体１及び下筐体２のなす開閉角度（以下、単に開閉角度という。）を開閉角度マーキング７に合わせると共に、同図（ｂ）に示すようにカメラ５の方向をカメラ方向マーキング８に合わせた時に、カメラ５が名刺サイズの原稿が置かれた下筐体２の上面に正対するように構成されている。
【００１３】
開閉角度マーキング７による位置合わせとしては、このマーキング７と同じ側の上筐体１の下側辺１ａの角度を設定する印であるとよい。また、カメラ５の方向は、カメラ５のセンターラインの位置を設定する印であるとよい。
【００１４】
なお、これらのマーキング７に上筐体１を合わせ、マーキング８にカメラ５を合わせた場合に、上筐体１及び下筐体２の開閉操作及びカメラ５の回動操作に伴ってクリック感を生じるようにしておくことにより、操作がさらに容易になる。
【００１５】
この場合において、図１（ｂ）に示すようにカメラ５の画角（撮影範囲）が下筐体２の上面に置かれた名刺サイズの原稿をカバーし、かつ、カメラ５のレンズから下筐体２の上面までの距離が当該レンズの焦点距離に一致するようにカメラ５の光学系を予め設定しておくことにより、下筐体２の上面に名刺サイズの原稿を置いて、カメラ５によって正面からピントを合わせて撮影をすることができる。このようにしてカメラ撮影された画像に対しては、斜めからカメラ撮影された場合に生じる画像特有のひずみを除去する補正が不要となる。
【００１６】
また、この実施の形態によるカメラ撮影を行う場合、制御部１６は、図１（ａ）に示すように、下から上へ向かって輝度が上昇するグラデーションを与えた画面を表示部４に表示することができる。このような輝度のグラデーションによって、被写体である名刺サイズの原稿の全体にわたりほぼ一様な照度が与えられるから、撮影を容易にすることができ、かつ、撮影された画像の明るさを一様にするための補正が不要となる。
【００１７】
なお、被写体の照明用として、表示部４に輝度のグラデーションを与えた画面を表示する代わりに、カメラ５の近傍に図示しない白色ＬＥＤを設けて利用することもできる。この場合も、白色ＬＥＤは被写体のほぼ中心部を上方から照明する形になるから、被写体の全体にわたり自然な照度分布が与えられ、撮影を容易にすることができる。
【００１８】
本発明の第１の実施の形態によれば、名刺サイズの原稿をカメラ付き筐体折畳み形電子機器の下筐体２の上面に置いて、上筐体１と下筐体２の開閉角度及びカメラ５の方向を予め設けられたマーキング７、８に合わせるという簡便な操作だけで、画像のひずみ除去や輝度補正を必要とせず被写体にピントを合わせて撮影をすることができる。
【００１９】
（第２の実施の形態）
以下に、本発明を折畳み形携帯電話機に適用した第２の実施の形態を、図３を参照して説明する。図３は、本発明の第２の実施の形態に係る折畳み形携帯電話機のブロック図である。なお、本発明の第２の実施の形態に係る折畳み形携帯電話機の外観は、図１に表わされた第１の実施の形態に係るものと同じである。
【００２０】
図３の第２の実施の形態と図２の第１の実施の形態との相違は、開閉角度センサ１８、カメラ方向角度センサ１９及び警報表示素子２０をさらに備えた点である。ここで、開閉角度センサ１８及びカメラ方向角度センサ１９は、小形のロータリーエンコーダ等によって実現することができる。警報表示素子２０は、例えばＬＥＤである。
【００２１】
次に、本発明の第２の実施の形態に係る折畳み形携帯電話機の動作について説明する。第２の実施の形態においても、第１の実施の形態におけると同様に、上筐体１と下筐体２の開閉角度、並びにカメラ５の方向をマーキング７、８に合わせて設定し、下筐体２の上面に置いた被写体を撮影する。この場合において、開閉角度センサ１８は開閉角度を検出し、また、カメラ方向角度センサ１９は上筐体１を基準とするカメラ５の方向角度を検出する。
【００２２】
これらの検出された角度の情報は、制御部１６に送られてそれぞれ予め設定されている所定値と比較される。その結果、許容値を超える差がある場合には、制御部１６はカメラ５が下筐体２の上面の被写体に正対しておらず適切な撮影をすることができる状態にないものと判断して、警報表示素子２０を点灯させ、又はカメラ５による撮影を禁止することができる。なお、警報表示素子２０の点灯に代えて、表示部４と背中合わせで上筐体１に設けられた図示しない副表示部に同じ内容を意味する表示をしたり、図示しないブザーを鳴動させたりすることも可能である。
【００２３】
一方、カメラ５がレンズの焦点距離を被写体との距離に応じて設定する機能を備えている場合には、上記の検出された角度の情報を制御部１６においてそれぞれ予め設定されている所定値と比較した結果、所定値との差が許容値以下である時に、制御部１６が当該焦点距離を自動的に設定することができる。また、焦点距離の設定が適切でない時に警報表示素子２０を点灯させ、又はカメラ５による撮影を禁止することもできる。なお、警報表示素子２０の点灯に代えて、図示しない副表示部に同じ内容を意味する表示をしたり、図示しないブザーを鳴動させたりすることも可能である。
【００２４】
本発明の第２の実施の形態によれば、開閉角度及びカメラの方向が許容値を外れた状態にある時に、撮影が行われるのを未然に防止することができるという、付加的な効果が得られる。
【００２５】
（第３の実施の形態）
以下に、本発明を折畳み形携帯電話機に適用した第３の実施の形態を、図４及び図５を参照して説明する。図４（ａ）及び（ｂ）は、それぞれ本発明の第３の実施の形態に係る折畳み形携帯電話機の外観を示す斜視図、及び側面図である。図４（ａ）の第３の実施の形態と図１（ａ）の第１の実施の形態との相違は、カメラ５が上筐体１の表示部４の上方に固定して取り付けられており、これに伴ってカメラ５の方向を示すマーキングがない点である。なお、表示部４に輝度のグラデーションが与えられていない点については、後で説明する。
【００２６】
図５は、本発明の第３の実施の形態に係る折畳み形携帯電話機のブロック図である。図５の第３の実施の形態と図２の第１の実施の形態との相違は、撮影画像のひずみ又は輝度補正の機能を有するひずみ／輝度補正部２１をさらに備えた点である。
【００２７】
次に、これらの図を参照して、本発明の第３の実施の形態に係る折畳み形携帯電話機の動作を、例えばＡ４版サイズ以下の原稿を撮影する場合を例にとって説明する。この折畳み形携帯電話機は、図４（ａ）において、上筐体１の開閉角度を開閉角度マーキング７に合わせた時に、カメラ５の画角が同図（ｂ）に示すように下筐体２の上面に置かれたＡ４版サイズ以下の原稿をカバーするように構成されている。なお、上筐体１の開閉角度を開閉角度マーキング７に合わせた場合に、上筐体１及び下筐体２の開閉操作に伴ってクリック感を生じるようにしておくことにより、操作がさらに容易になる点は第１の実施の形態と同様である。
【００２８】
この場合において、図４（ｂ）に示すようにその画角（撮影範囲）が下筐体２の上面に置かれたＡ４版サイズ以下の原稿をカバーし、かつ、カメラレンズから下筐体２の上面に置かれた原稿までの距離が当該レンズの被写界深度の範囲内であるように、カメラ５の光学系を予め設定しておくことにより、下筐体２の上面にＡ４版サイズ以下の原稿を置いて、カメラ５によってピントを合わせて撮影をすることができる。
【００２９】
この撮影を行う場合、第１の実施の形態とは異なり、カメラ５を原稿に対して正対させることができない。したがって、制御部１６はカメラ５から撮影画像を取り込んでいったんメモリ１７に保存した後、ひずみ／輝度補正部２１によって画像のひずみを補正する。このような画像のひずみ補正は、アフィン変換によって行うことができる。この場合において、カメラ５と原稿の相対位置は、上筐体１及び下筐体２の開閉角度を開閉角度マーキング７に合わせるようにすれば常に一定であるから、画像のひずみ補正のパラメータを撮影の都度調整しなおす必要がない。
【００３０】
本発明の第３の実施の形態における照明としては、原稿のサイズが名刺大又はそれよりやや大きい程度までであれば、第１の実施の形態と同様に表示部４に輝度のグラデーションを与えて用いたり、カメラ５の近傍に設けた図示しない白色ＬＥＤを用いたりしてもよい。しかしこの方法は、原稿のサイズが大きくなるにつれ必ずしも有効ではなくなる。そこで図４（ａ）に示したように表示部４の輝度を一様かつ一定とし、制御部１６がカメラ５から撮影画像を取り込んでいったんメモリ１７に保存した後、ひずみ／輝度補正部２１によって画像の輝度を補正する。この場合において、原稿上の照度分布は、開閉角度を開閉角度マーキング７に合わせるようにすれば常に一定であるから、画像の輝度補正のパラメータを撮影の都度調整しなおす必要がない。
【００３１】
本発明の第３の実施の形態によれば、名刺より大きなサイズの原稿をカメラ付き筐体折畳み形電子機器の一方の筐体の上面に置いて、開閉角度を予め設けられたマーキングに合わせるという簡便な操作だけで被写体にピントを合わせて撮影し、パラメータの再調整を行わずに画像のひずみ又は輝度を補正することができる。
【００３２】
なお本発明は、折畳み形携帯電話機以外のカメラ付き筐体折畳み形電子機器にも、以上説明した第１乃至第３の実施の形態と同様に適用することができる。また、上記の撮影を行う場合に表示部４の輝度を最大にしたり、上筐体１の背面に副表示部を設けてファインダーとして用いたり、下筐体２に原稿の置き場所を示すマーキングを設けたりすることによって、撮影上の利便性をさらに高めることができる。
【００３３】
【発明の効果】
本発明によれば、カメラ付き筐体折畳み形電子機器の開閉角度及びカメラの方向を操作するだけで、名刺又はそれ以上のサイズの原稿を適切に、かつ、再現性よく撮影することができる。
【図面の簡単な説明】
【図１】（ａ）本発明を折畳み形携帯電話機に適用した第１の実施の形態に係る携帯電話機の外観を示す斜視図、（ｂ）同じく側面図。
【図２】本発明の第１の実施の形態に係る折畳み形携帯電話機のブロック図。
【図３】本発明を折畳み形携帯電話機に適用した第２の実施の形態に係る折畳み形携帯電話機のブロック図。
【図４】（ａ）本発明を折畳み形携帯電話機に適用した第３の実施の形態に係る折畳み形携帯電話機の外観を示す斜視図、（ｂ）同じく側面図。
【図５】本発明の第３の実施の形態に係る折畳み形携帯電話機のブロック図。
【符号の説明】
１  上筐体
１ａ  上筐体の下側辺
２  下筐体
３  ヒンジ部
４  表示部
５  カメラ
６  操作部
７  開閉角度マーキング
８  カメラ方向マーキング
９  アンテナ
１０  送受切換え部
１１  無線部
１２  ベースバンド部
１３  音声／電気変換部
１４  受話器
１５  送話器
１６  制御部
１７  メモリ
１８  開閉角度センサ
１９  カメラ方向角度センサ
２０  警報表示素子
２１  ひずみ／輝度補正部
【図１】
2005045317.tif 000003
【図２】
2005045317.tif 000004
【図３】
2005045317.tif 000005
【図４】
2005045317.tif 000006
【図５】
2005045317.tif 000007